(57)【要約】【課題】  二重に施錠する構造にして他人や檻の中の動物等が不用意に扉を開けてしまうのを防止することができる動物用金網檻の扉施錠装置を得る。【解決手段】  動物用金網檻の扉施錠装置であって、本体ケースと、スライダーと、係合部と、スライダーを付勢する弾性体と、スライダーの移動を制限するロッド部を有する移動可能なロック部とを備え、前記本体ケースは、開口部と、収容溝と、係合部用穴と、固定部と、ロック部用開口部と、施錠固定部と、解錠固定部とを有し、スライダーは、スライダーの先端部が前記開口部から突出した状態で前記本体ケース内に移動可能に設けられており、弾性体用係合部と、ロッド部用開口とを有し、ロック部は、施錠固定部及び解錠固定部に係合する突出部を有する。【選択図】  図５
2006217867.tif 000002
【特許請求の範囲】
【請求項１】
動物用金網檻の扉施錠装置であって、
前記動物用金網檻の出入口部に回動可能に取り付けられた扉に設けられた本体ケースと、
前記本体ケース内に設けられた移動可能なスライダーと、
前記スライダーに設けられ、前記動物用金網檻の出入口部の縁部と係合する係合部と、
前記本体ケース内に設けられ、前記スライダーを付勢する弾性体と、
前記本体ケース内に設けられ、前記スライダーの移動を制限するロッド部を有する移動可能なロック部とを備え、
前記本体ケースは、前記スライダーを突出させて該スライダーの移動を許容する開口部と、前記動物用金網檻の出入口部の縁部を収容させる収容溝と、前記係合部の移動を許容する係合部用穴と、前記弾性体の一端を固定する固定部と、前記ロック部を操作するためのロック部用開口部と、前記ロック部を施錠状態に固定する施錠固定部と、前記ロック部を解錠状態に固定する解錠固定部とを有し、
前記スライダーは、該スライダーの先端部が前記開口部から突出した状態で前記本体ケース内に移動可能に設けられており、前記弾性体の他端と係合する弾性体用係合部と、前記ロック部が前記施錠状態にあるときに前記ロッド部と係合し、該ロック部が前記解錠状態にあるときに前記ロッド部を受け入れるロッド部用開口とを有し、
前記ロック部は、前記施錠固定部及び前記解錠固定部に係合する突出部を有することを特徴とする動物用金網檻の扉施錠装置。
【請求項２】
前記本体ケースは、前記スライダーの移動幅を制限する制限部を有することを特徴とする請求項１に記載の動物用金網檻の扉施錠装置。
【請求項３】
前記本体ケースは、前記スライダーを案内するガイド部を有することを特徴とする請求項１又は２に記載の動物用金網檻の扉施錠装置。
【請求項４】
前記弾性体は、コイルバネであることを特徴とする請求項１乃至３のいずれか一つに記載の動物用金網檻の扉施錠装置。
【請求項５】
前記スライダーにはラベルが設けられ、前記本体ケースにはラベル用開口が設けられており、前記係合部が前記動物用金網檻の出入口部の縁部と係合した状態にあるときに前記ラベルが前記ラベル用開口から目視可能であることを特徴とする請求項１乃至４のいずれか一つに記載の動物用金網檻の扉施錠装置。
【発明の詳細な説明】
【技術分野】
【０００１】
本発明は、犬や猫等の動物に利用することができる動物用金網檻の扉施錠装置に関するものである。
【背景技術】
【０００２】
従来において、犬や猫等の動物に利用することができる動物用金網檻の扉施錠装置が種々知られている（例えば、特許文献１参照。）。
【特許文献１】実開平６−１１４５７号公報
【発明の開示】
【発明が解決しようとする課題】
【０００３】
上記特許文献１は、本願出願人が先に出願した実用新案登録出願である。上記特許文献１の施錠装置は、扉への組み付け性が良く、施解錠を片手で操作できる操作性が良好である。しかしながら、上記特許文献１の施錠装置は、さらに改良する余地がある。すなわち、他人が不用意に施解錠操作体を動かして不用意に扉を開けてしまう可能性がある。また、檻の中の動物が施解錠操作体を動かして扉を開けてしまう可能性もある。
【０００４】
本発明は、二重に施錠する構造にして他人や檻の中の動物等が不用意に扉を開けてしまうのを防止することができる動物用金網檻の扉施錠装置を提供することを目的とする。
【課題を解決するための手段】
【０００５】
本発明は、動物用金網檻の扉施錠装置であって、前記動物用金網檻の出入口部に回動可能に取り付けられた扉に設けられた本体ケースと、前記本体ケース内に設けられた移動可能なスライダーと、前記スライダーに設けられ、前記動物用金網檻の出入口部の縁部と係合する係合部と、前記本体ケース内に設けられ、前記スライダーを付勢する弾性体と、前記本体ケース内に設けられ、前記スライダーの移動を制限するロッド部を有する移動可能なロック部とを備え、前記本体ケースは、前記スライダーを突出させて該スライダーの移動を許容する開口部と、前記動物用金網檻の出入口部の縁部を収容させる収容溝と、前記係合部の移動を許容する係合部用穴と、前記弾性体の一端を固定する固定部と、前記ロック部を操作するためのロック部用開口部と、前記ロック部を施錠状態に固定する施錠固定部と、前記ロック部を解錠状態に固定する解錠固定部とを有し、前記スライダーは、該スライダーの先端部が前記開口部から突出した状態で前記本体ケース内に移動可能に設けられており、前記弾性体の他端と係合する弾性体用係合部と、前記ロック部が前記施錠状態にあるときに前記ロッド部と係合し、該ロック部が前記解錠状態にあるときに前記ロッド部を受け入れるロッド部用開口とを有し、前記ロック部は、前記施錠固定部及び前記解錠固定部に係合する突出部を有することを特徴とする動物用金網檻の扉施錠装置を提供する。
【０００６】
また、前記本体ケースは、前記スライダーの移動幅を制限する制限部を有することができる。また、前記本体ケースは、前記スライダーを案内するガイド部を有することができる。また、前記弾性体は、コイルバネである方が好ましい。さらに、前記スライダーにはラベルが設けられ、前記本体ケースにはラベル用開口が設けられており、前記係合部が前記動物用金網檻の出入口部の縁部と係合した状態にあるときに前記ラベルが前記ラベル用開口から目視可能である。
【発明の効果】
【０００７】
本発明によれば、二重に施錠する構造によって他人や檻の中の動物が不用意に扉を開けてしまうのを防止することができる。
【発明を実施するための最良の形態】
【０００８】
以下、本発明にかかる動物用金網檻の扉施錠装置を実施するための最良の形態について図面を参照しながら述べる。図１には、本発明にかかる扉施錠装置１が設けられた動物用金網檻１００の全体斜視図を示している。動物用金網檻１００は、犬や猫等の動物に利用することができるものであり、正面板１０３ａと左右の側面板１０３ｂ、１０３ｃと背面板１０３ｄと天井板１０３ｅとを有している。正面板１０３ａ、側面板１０３ｂ、１０３ｃ及び背面板１０３ｄは、ベースプレート１０２の４つの周縁部１０６の内側に立設されている。また、正面板１０３ａには、出入口部１０４が設けられており、この出入口１０４には、扉１０５が適宜の手段によって回動可能に取り付けられている。扉施錠装置１は、この扉１０５に設けられている。
【０００９】
扉施錠装置１は、図１乃至図５に示すように、扉１０５に設けられた、表面ケース２ａと裏面ケース２ｂとを有する本体ケース２と、本体ケース２内に設けられた移動可能なスライダー３と、スライダー３に設けられ、動物用金網檻１００の出入口部１０４の縁部１１０と係合する上下一対の切り欠き状の係合部４と、本体ケース２内に設けられ、スライダー３を付勢する弾性体としてのコイルバネ５と、本体ケース２内に設けられ、スライダー３の移動を制限するロッド部６を有する移動可能なロック部７とを備えている。
【００１０】
本体ケース２は、表面ケース２ａと裏面ケース２ｂとが互いに組み合わされ、ネジ等の適宜な手段によって結合されて構成されている。表面ケース２ａの縁部には上下（図１において上下方向）一対の半円溝８ａ、９ａが形成され、裏面ケース２ｂの縁部には、上下（図１において上下方向）一対の半円溝８ｂ、９ｂが形成されており、表面ケース２ａと裏面ケース２ｂとが互いに組み合わされたときに半円溝８ａと半円溝８ｂは一つの円状溝を構成し、同様に半円溝９ａと半円溝９ｂも一つの円状溝を構成する。これらの円状溝に扉１０５の一部１０５ａをそれぞれ挿入した状態で表面ケース２ａと裏面ケース２ｂとを組み合わせることにより、本体ケース２を扉１０５に取り付けることが可能である。本体ケース２の扉５への取り付けはこれに限らずどのような手法であってもよい。
【００１１】
また、本体ケース２の表面ケース２ａには、スライダー３を突出させてスライダー３の移動を許容する開口部１０が形成されている。スライダー３はこの開口部１０を介してスライド移動可能なように、その先端部が開口部１０から突出した状態で本体ケース２内に設けられている。また、本体ケース２の裏面ケース２ｂには、係合部４の移動を許容する一対の係合部用穴１２が形成されている。すなわち、スライダー３の移動に伴う係合部４の移動がこの係合部用穴１２によって許容される。また、表面ケース２ａには、動物用金網檻１００の出入口部１０４の縁部１１０を収容させる上下一対の収容溝１１が形成されている。この収容溝１１に収容された縁部１１０を上下一対の係合部４が係合することにより、スライダー３による施錠状態となる。なお、この係合が解除されることによりスライダー３による解錠状態となる。
【００１２】
また、表面ケース２ａには、コイルバネ５の一端（図５において右側端）を固定する固定部１３が立設されている。表面ケース２ａの表面には、ロック部７を操作するためのロック部用開口部１４が形成されている。使用者は、このロック部用開口部１４を介してロック部７を操作することにより、ロック部７による施解錠を行うことができる。図３乃至図５に示すように、表面ケース２ａの内面には、ロック部７を上下方向（図３及び図４において上下方向）に案内する一対の案内部１５，１６が形成されている。ロック部７は、この案内部１５，１６の間に挟まれた状態で上下方向に案内されながら移動可能となっている。案内部１５には、上下方向に並設された二つの溝が形成されている。下側に位置する溝は、ロック部７を施錠状態に固定する施錠固定部１５ａを構成し、上側に位置する溝は、ロック部７を解錠状態に固定する解錠固定部１５ｂを構成している。ロック部７は、この案内部１５側の側面に突出部１７が形成されている。この突出部１７は、切り欠き１８によって撓むようになっている。この突出部１７は、施錠固定部１５ａ及び解錠固定部１５ｂに係合するようになっており、突出部１７が施錠固定部１５ａと係合すると、ロック部７による施錠状態となり、一方、突出部１７が解錠固定部１５ｂと係合すると、ロック部７による解錠状態となる。このようにロック部７は、上下方向において二段階に移動可能になっている。このロック部７の移動は、ロック部用開口部１４から突出した摘み部１９を使用者が指で摘んで操作することにより行うことができる。図３は、突出部１７が施錠固定部１５ａと係合した施錠状態を示し、図４は、突出部１７が解錠固定部１５ｂと係合した解錠状態を示す。
【００１３】
スライダー３は、スライダー３の先端部３０が開口部１０から突出した状態で本体ケース２内にスライド移動可能に設けられている。スライダー３は、表面ケース２ａの内面に形成されたガイド部３１（図２参照）によって案内されて開口部１０から突出する方向（図５において左右方向）にスライド移動可能となっている。スライダー３には、コイルバネ５の他端（図５において左側端）と係合する弾性体用係合部３２が形成されている。従って、コイルバネ５は、表面ケース２ａの固定部１３と弾性体用係合部３２とによって支持されており、スライダー３を開口部１０から突出する方向（図５において右方向）に付勢している。
【００１４】
また、スライダー３には、表面ケース２ａの内面上に立設された突出部３４と係合する切り欠き３３が形成されている。より具体的に説明すると、切り欠き３３内に突出部３４が突出しており、突出部３４は切り欠き３３内において移動範囲が制限されている。換言すれば、突出部３４は、スライダー３のスライド移動の移動幅を制限する制限部として機能している。従って、図５に示すように、切り欠き３３の左側壁と突出部３４とが係合した状態で、スライダー３が開口部１０から最も突出した状態となる。逆に、切り欠き３３の右側壁と突出部３４とが係合した状態で、スライダー３が本体ケース２内に最も収納された状態となる。上述のように、スライダー３は、コイルバネ５によって常に突出方向に付勢されているため、ロック部７が解錠状態（図４の状態）の場合は、切り欠き３３の右側壁と突出部３４とが係合した状態で、スライダー３は開口部１０から最も突出した状態となっている。
【００１５】
また、図２及び図５に示すように、スライダー３には、Ｌ字状のロッド部用開口３７が形成されている。ロック部７は、ロッド部６がスライダー３のロッド部用開口３７を貫通するように本体ケース２内に設けられている。ロッド部用開口３７は、ロック部７の移動方向である上下方向（図３及び図４において上下方向）に伸びた第１開口３７ａと、第１開口３７ａに連結されると共にスライダー３の移動方向に伸びた長方形状の第２開口３７ｂとをから構成されている。
【００１６】
ロック部７の突出部１７が施錠固定部１５ａと係合した状態（ロック部７による施錠状態）のときにロッド部６は第１開口３７ａに存在し、ロック部７の突出部１７が解錠固定部１５ｂと係合した状態（ロック部７による解錠状態）のときにロッド部６は第２開口３７ｂに存在するようになっている。すなわち、ロック部７が施錠状態にあるときに第１開口３７ａはロッド部６と係合し、ロック部７が解錠状態にあるときに第２開口３７ｂがロッド部７を受け入れるようになっている。そして、ロッド部６が第１開口３７ａに存在するとき（ロック部７による施錠状態のとき）には、切り欠き３３の左側壁と突出部３４とが係合した状態で、スライダー３が開口部１０から最も突出した状態となっている。
【００１７】
従って、ロック部７の突出部１７が施錠固定部１５ａと係合した状態でロッド部６が第１開口３７ａに存在する場合には、ロッド部６と第１開口３７ａの係合状態によってスライダー３は移動できない状態となる（ロック部７による施錠状態）。一方、ロック部７の突出部１７が解錠固定部１５ｂと係合した状態でロッド部６が第２開口３７ｂに存在する場合には、コイルバネ５の付勢力（弾性力）に抗して、切り欠き３３の右側壁と突出部３４とが係合する状態までスライダー３を本体ケース２内に収納するように移動させることができる。
【００１８】
コイルバネ５の付勢力によってスライダー３の係合部４が出入口部１０４の縁部１１０と係合することにより、扉１０５を施錠することができる。逆に、コイルバネ５の付勢力に抗してスライダー３を本体ケース２内に収納する方向に移動させることにより、扉１０５を解錠することができる。この施解錠に加えて、スライダー３の係合部４が出入口部１０４の縁部１１０と係合して扉１０５を施錠している状態のときに、ロック部用開口部１４から突出した摘み部１９を使用者が指で摘んで図３に示すようなロック部７による施錠状態にすることにより、スライダー３を移動不可能な状態にすることができる。逆に、ロック部用開口部１４から突出した摘み部１９を使用者が指で摘んで図４に示すようなロック部７による解錠状態にすることにより、スライダー３を移動可能な状態にすることができる。
【００１９】
このように、本発明は、スライダー３による施解錠だけでなく、ロック部７によってスライダー３の移動の規制する施解錠を可能としているため、二重に施錠することが可能で、もって、他人や檻の中の動物が不用意に扉を開けてしまうのを防止することができる。
【００２０】
また、図３及び図４に示すように、本体ケース２の表面ケース２ａにラベル用開口１４を形成し、スライダー３の表面ケース２ａ側の面にラベル用開口穴１４と略同寸法のラベル（図示せず）を貼り、スライダー３の係合部４が動物用金網檻１００の出入口部１０４の縁部１１０と係合した状態にあるときにラベルがラベル用開口１４から目視可能とすることにより、使用者は、スライダー３の係合部４が動物用金網檻１００の出入口部１０４の縁部１１０と係合した状態を容易に確認することができる。
【図面の簡単な説明】
【００２１】
【図１】図１は、本発明にかかる扉施錠装置が設けられた動物用金網檻を示す全体斜視図である。
【図２】図２は、扉施錠装置の主要部を示す分解斜視図である。
【図３】図３は、突出部が施錠固定部と係合した施錠状態を示す平面図である。
【図４】図４は、突出部が解錠固定部と係合した解錠状態を示す平面図である。
【図５】図５は、扉施錠装置を示す部分切断斜視図である。
【符号の説明】
【００２２】
１    扉施錠装置                      ２    本体ケース
３    スライダー                      ４    係合部
５    コイルバネ                      ６    ロッド部
７    ロック部
【図１】
2006217867.tif 000003
【図２】
2006217867.tif 000004
【図３】
2006217867.tif 000005
【図４】
2006217867.tif 000006
【図５】
2006217867.tif 000007